(57)【特許請求の範囲】
【請求項１】
光記録媒体上の相対アドレス検出時のエラーを補正するための装置において、
光記録媒体上に記録された相対アドレスを再生する相対アドレス検出部と、
前記相対アドレス検出部から出力された相対アドレスが所定のＮ回以上連続的なアドレスかどうかを検査する相対アドレス連続性検出部と、
前記相対アドレス連続性検出部でＮ回以上連続的な相対アドレスが入力された場合に、直前のアドレスに対して連続的でない現在の相対アドレスを強制的に補正して出力する相対アドレス補正部とを含み、
前記相対アドレス補正部は、
相対アドレス補正直後に相対アドレス検出部を通じて再生した後、相対アドレスが補正されたアドレスに対して連続的でない時、光記録媒体の制御をモニタリングする所定マイコンに、連続性にエラーがあることを知らせる第２インタラプト信号を出力することを特徴とする光記録媒体上の相対アドレス検出及び補正装置。
【請求項２】
前記相対アドレス検出部は、
前記光記録媒体上のセクターシンク検出後、ウィンドウ信号を生成して所定領域に存在する信号だけを検出するウィンドウ生成部を含むことを特徴とする請求項１に記載の光記録媒体上の相対アドレス検出及び補正装置。
【請求項３】
前記Ｎ連続性は、以前のアドレスに対して＋１の関係を有するアドレスがＮ回入力された場合に発生することを特徴とする請求項１に記載の光記録媒体上の相対アドレス検出及び補正装置。
【請求項４】
前記相対アドレス補正部は、
相対アドレス補正直後、光記録媒体制御をモニタリングする所定マイコンにアドレスエラー補正が行われたことを知らせる第１インタラプト信号を出力することを特徴とする請求項１に記載の光記録媒体上の相対アドレス検出及び補正装置。
【請求項５】
光記録媒体上のＬＰＰデータを検出する光記録媒体記録または再生装置において、
光記録媒体に記録された相対アドレスを再生する相対アドレス検出部と、
光記録媒体に記録されたＬＰＰユーザデータを再生するユーザデータ検出部と、
前記相対アドレス検出部から出力された相対アドレスが所定のＮ回以上連続的なアドレスかどうかを検査する相対アドレス連続性検出部と、
前記相対アドレス連続性検出部でＮ回以上連続的な相対アドレスが入力された場合に、直前のアドレスに対して連続的でない現在の相対アドレスを強制的に補正して出力する相対アドレス補正部と、
相対アドレス補正後に前記ユーザデータをデコーディングするＬＰＰデコーディング部とを含み、
前記相対アドレス補正部は、
相対アドレス補正直後に相対アドレス検出部を通じて再生した後、相対アドレスが補正されたアドレスに対して連続的でない時、光記録媒体の制御をモニタリングする所定マイコンに、連続性にエラーがあることを知らせる第２インタラプト信号を出力することを特徴とする光記録媒体記録または再生装置。
【請求項６】
前記相対アドレス検出部は、
前記光記録媒体上のセクターシンク検出後、ウィンドウ信号を生成して所定領域に存在する信号だけを検出するウィンドウ生成部を含むことを特徴とする請求項５に記載の光記録媒体記録または再生装置。
【請求項７】
前記Ｎ連続性は、以前のアドレスに対して＋１の関係を有するアドレスがＮ回入力された場合に発生することを特徴とする請求項５に記載の光記録媒体記録または再生装置。
【請求項８】
前記相対アドレス補正部は、
アドレス補正直後、光記録媒体制御をモニタリングする所定マイコンにアドレスエラー補正が行われたことを知らせる第１インタラプト信号を出力することを特徴とする請求項５に記載の光記録媒体記録または再生装置。
【請求項９】
光記録媒体上の相対アドレス検出時のエラーを補正するための方法において、
光記録媒体上に記録された相対アドレスを再生する段階と、
前記再生された相対アドレスが所定のＮ回以上連続的なアドレスかどうかを検査する段階と、
Ｎ回以上連続的な相対アドレスが入力された場合に、直前のアドレスに対して連続的でない現在の相対アドレスを強制的に補正して出力する段階と、
前記相対アドレス補正直後に再生した相対アドレスが補正されたアドレスに対して連続的でない時、光記録媒体の制御をモニタリングする所定マイコンに、連続性にエラーがあることを知らせる第２インタラプト信号を出力する段階とを含むことを特徴とする光記録媒体上の相対アドレス検出及び補正方法。
【請求項１０】
前記相対アドレスの検出は、前記光記録媒体上のセクターシンク検出後、ウィンドウ信号を生成して所定領域に存在する信号だけを検出することによって行われることを特徴とする請求項９に記載の光記録媒体上の相対アドレス検出及び補正方法。
【請求項１１】
前記Ｎ連続性は、以前のアドレスに対して＋１の関係を有するアドレスがＮ回入力された場合に発生することを特徴とする請求項９に記載の光記録媒体上の相対アドレス検出及び補正方法。
【請求項１２】
前記相対アドレス補正直後、光記録媒体制御をモニタリングする所定マイコンにアドレスエラー補正が行われたことを知らせる第１インタラプト信号を出力する段階をさらに含むことを特徴とする請求項９に記載の光記録媒体上の相対アドレス検出及び補正方法。
【発明の詳細な説明】
【０００１】
【発明の属する技術分野】
本発明は光記録媒体上の相対アドレス検出に係り、より詳細には光記録媒体のランドプリピット（ＬＰＰ；Ｌａｎｄ  Ｐｒｅ−Ｐｉｔ）ブロック内の相対的位置情報である相対アドレスを検出して誤りを補正する、光記録媒体上の相対アドレス検出及び補正装置とその方法に関する。
【０００２】
【従来の技術】
ＤＶＤ−Ｒ、ＤＶＤ−ＲＷのような光記録媒体はディスク基板の製作中にアドレス情報を含むピットをランド上に浮出ししたＬＰＰを具備する。ＬＰＰ信号は光ビームが光記録媒体のトラックに沿っていく時に導出され、記録前後に記録器機の光ピックアップで測定される。
光記録媒体上には１６個の既記録されたセクター（ＬＰＰセクター）よりなるＬＰＰブロックがある。ＬＰＰブロックは信号処理段階によって“既記録されたデータブロック”または“既記録された物理ブロック”と呼ばれる。
【０００３】
“既記録されたデータブロック”はＡとＢの両データ部分を含む。Ａ部分は３バイトのＥＣＣ（Ｅｒｒｏｒ  Ｃｏｒｒｅｃｔｉｏｎ  Ｃｏｄｅ）ブロックアドレスと３バイトのパリティとで構成される。すなわち、Ａ部分は６個の既記録されたデータセクターよりなる。Ｂ部分は１バイトのＩＤフィールド、６バイトのディスク情報及び３バイトのパリティよりなる。したがって、Ｂ部分は１０個の既記録されたデータセクターよりなる。
【０００４】
既記録されたデータブロックは前記Ａ部分、Ｂ部分及び００００ｂ〜１１１１ｂまでの相対アドレスを具備した１６個の既記録された物理セクターよりなる。既記録されたデータブロックにシンクが合わせられて既記録された物理ブロックになる。
【０００５】
ＬＰＰセクターにある相対アドレスは４ビットを有して１６個のＬＰＰセクター（１ＬＰＰブロック）の位置を示す。順番に００００ｂから１１１１ｂまでのアドレスが各々最初のＬＰＰセクターから最後のＬＰＰセクターまでを示す。相対アドレス番号はグルーブに記録された物理セクター番号の下位４ビットと同一である。相対アドレスはエラー検出及びエラー訂正コードを有していない。
【０００６】
光記録媒体の記録及び再生時に前述したＬＰＰブロック内の相対アドレスを間違って検出すれば、ＬＰＰブロック内の他のデータを正確に検出した場合にもデコーディングエラーが発生する。
したがって、エラー検出及びエラー訂正コードがない相対アドレスを間違って検出した場合にそれを復旧するための方法及び装置が必要である。
【０００７】
【発明が解決しようとする課題】
本発明が解決しようとする技術的課題は、光記録媒体上のＬＰＰブロック検出時のエラーを減らすために、エラーが発生した相対アドレスを元の状態に復旧する、光記録媒体上の相対アドレス検出及び復旧装置とその方法を提供するところにある。
【０００８】
【課題を解決するための手段】
前記課題を解決するための、光記録媒体上の相対アドレス検出時のエラーを補正するための装置は、光記録媒体上に記録された相対アドレスを再生する相対アドレス検出部と、前記相対アドレス検出部から出力された相対アドレスが所定のＮ回以上連続的なアドレスかどうかを検査する相対アドレス連続性検出部と、前記相対アドレス連続性検出部でＮ回以上連続的な相対アドレスが入力されたことを確認した後、以前のアドレスに対して連続的でない現在の相対アドレスを強制的に補正して出力する相対アドレス補正部とを含むことを特徴とする。
【０００９】
前記相対アドレス検出部は、前記光記録媒体上のセクターシンク検出後、ウィンドウ信号を生成して所定領域に存在する信号だけを検出するウィンドウ生成部を含むことが望ましい。
前記Ｎ連続性は、以前のアドレスに対して＋１の関係を有するアドレスがＮ回入力された場合に発生することが望ましい。
【００１０】
前記相対アドレス補正部は、相対アドレス補正直後、光記録媒体制御をモニタリングする所定マイコンにアドレスエラー補正が行われたことを知らせる第１インタラプト信号を出力することが望ましい。
前記相対アドレス補正部は、相対アドレス補正直後に相対アドレス検出部を通じて再生した後、相対アドレスが補正されたアドレスに対して連続的でない時、光記録媒体の制御をモニタリングする所定マイコンに、連続性にエラーがあることを知らせる第２インタラプト信号を出力することが望ましい。
【００１１】
前記課題を解決するための、光記録媒体上のＬＰＰデータを検出する光記録媒体記録または再生装置は、光記録媒体に記録された相対アドレスを再生する相対アドレス検出部と、光記録媒体に記録されたＬＰＰユーザデータを再生するユーザデータ検出部と、前記相対アドレス検出部から出力された相対アドレスが所定のＮ回以上連続的なアドレスかどうかを検査する相対アドレス連続性検出部と、前記相対アドレス連続性検出部でＮ回以上連続的な相対アドレスが入力されたことを確認した後、以前のアドレスに対して連続的でない現在の相対アドレスを強制的に補正して出力する相対アドレス補正部と、相対アドレス補正後に前記ユーザデータをデコーディングするＬＰＰデコーディング部とを含むことを特徴とする。
【００１２】
前記相対アドレス検出部は、前記光記録媒体上のセクターシンク検出後、ウィンドウ信号を生成して所定領域に存在する信号だけを検出するウィンドウ生成部を含むことが望ましい。
前記Ｎ連続性は、以前のアドレスに対して＋１の関係を有するアドレスがＮ回入力された場合に発生することが望ましい。
【００１３】
前記相対アドレス補正部は、相対アドレス補正直後、光記録媒体制御をモニタリングする所定マイコンにアドレスエラー補正が行われたことを知らせる第１インタラプト信号を出力することが望ましい。
前記相対アドレス補正部は、アドレス補正直後に相対アドレス検出部を通じて再生した後、相対アドレスが補正されたアドレスに対して連続的でない時、光記録媒体の制御をモニタリングする所定マイコンに、連続性にエラーがあることを知らせる第２インタラプト信号を出力することが望ましい。
【００１４】
前記課題を解決するための、光記録媒体上の相対アドレス検出時のエラーを補正するための方法は、光記録媒体上に記録された相対アドレスを再生する段階と、前記再生された相対アドレスが所定のＮ回以上連続的なアドレスかどうかを検査する段階と、Ｎ回以上連続的な相対アドレスが入力されたことを確認した後、以前のアドレスに対して連続的でない現在の相対アドレスを強制的に補正して出力する段階とを含むことを特徴とする。
【００１５】
前記相対アドレスの検出は、前記光記録媒体上のセクターシンク検出後、ウィンドウ信号を生成して所定領域に存在する信号だけを検出することによって行われることが望ましい。
前記Ｎ連続性は、以前のアドレスに対して＋１の関係を有するアドレスがＮ回入力された場合に発生することが望ましい。
【００１６】
前記相対アドレス補正直後、光記録媒体制御をモニタリングする所定マイコンにアドレスエラー補正が行われたことを知らせる第１インタラプト信号を出力する段階をさらに含むことが望ましい。
前記相対アドレス補正直後に再生した相対アドレスが補正されたアドレスに対して連続的でない時、光記録媒体の制御をモニタリングする所定マイコンに、連続性にエラーがあることを知らせる第２インタラプト信号を出力する段階をさらに含むことが望ましい。
【００１７】
【発明の実施の形態】
以下、添付した図面を参照して本発明を詳細に説明する。
図１は、光記録媒体記録及び再生装置の概略的ブロック図である。
図１の光記録媒体記録及び再生装置は、ピックアップユニット１００、適応レーザー電力制御部（Ａｄａｐｔｉｖｅ  Ｌａｓｅｒ  Ｐｏｗｅｒ  Ｃｏｎｔｒｏｌｌｅｒ；ＡＬＰＣ）１０１、高周波増幅器（ＲＦ−ＡＭＰ）１０２、データプロセッサー１０３、ホストインターフェース部１０４、サーボ制御部１０５及びモータ駆動部１０６を含む。
【００１８】
ピックアップユニット１００は光記録媒体１０上に記録された信号を再生する。
ＡＬＰＣ  １０１は、データプロセッサー１０３から記録パルス信号と書込みクロック信号及び記録イネーブル信号を提供されて記録のためにレーザー光量を制御する。したがって、書込みクロック信号によって記録パルス信号がピックアップユニット１００を通じて光記録媒体１０上に記録マーク形態に記録される。
【００１９】
ＲＦ−ＡＭＰ  １０２は、ピックアップユニット１００から出力される微細な電気的信号を増幅する。増幅された電気的信号から再生信号とウォッブル信号とを検出してデータプロセッサー１０３に提供する。
データプロセッサー１０３は、再生時にＲＦ−ＡＭＰ  １０２から提供される再生信号から同期信号の検出、挿入と保護を行い、復調、エラー検出／訂正を行う。またＲＦ−ＡＭＰ  １０２の各種コントロール信号を生成してサーボに関する信号をサーボ制御部１０５に提供する。データプロセッサー１０３は記録時、ホストインターフェース部１０４を通じてホスト１１から提供されるデータの変調、エラー訂正符号化などを行い、それによる記録パルス信号を生成してＡＬＰＣ  １０１に提供する。本発明と関連して、データプロセッサー１０３はＬＰＰ相対アドレスを検出してエラー有無を検査し、エラーがある時に相対アドレス値を正常に復旧する回路を含み、これについては図２以下の図面を参照して詳細に説明する。
【００２０】
ホストインターフェース１０４は、光記録／再生装置のデータプロセッサー１０３とホスト１１とのインターフェースを担当する。
サーボ制御部１０５は、データプロセッサー１０３から提供されるサーボと関連した信号を提供されて光記録媒体１０の回転速度制御に関するモータ制御とトラッキング、フォーカスなどのサーボ制御を担当する。
【００２１】
モータ駆動部１０６は、ディスク１０の回転に関するモータとそのドライブを含み、サーボ制御部１０５で提供されたモータ駆動信号、トラッキングサーボまたはフォーカシングサーボのためのサーボ駆動信号によってモータとそのドライブとを制御する。
光記録媒体記録または再生装置は、前述した各構成ブロック及びその間の信号のフローなどを総括制御するマイコン１０７をさらに含むことができる。
【００２２】
図２は、本発明の相対アドレス検出及びエラー復旧機能などのＬＰＰデータ処理が行われる装置の概略的ブロック図である。
図２のＬＰＰデータ処理部は、ウォッブルＰＬＬ部２００、位相差検出部２１０、位相差補正部２２０、ＬＰＰシンク検出部２３０、ＬＰＰデータ変換部２４０、相対アドレス検出部２５０、ユーザデータ検出部２６０、相対アドレス連続性検出部２７０、相対アドレス補正部２８０及びＬＰＰデコーディング部２９０を含む。
【００２３】
ウォッブルＰＬＬ部２００は、ウォッブル信号を入力信号とする位相同期ループ回路の結果であるウォッブルクロック信号と、入力されるウォッブル信号と位相同期されて平均ジッタに追従する信号のピーウォッブル（ｐｗｂ；ＰＬＬ  ｗｏｂｂｌｅ）信号を出力する。一般的にＤＶＤ−Ｒ／ＲＷでｐｗｂ信号はウォッブルクロックの１８６倍であり、ＤＶＤ＋Ｒ／ＲＷでｐｗｂ信号はウォッブルクロックの３２倍となる。ｐｗｂ信号は元のウォッブル信号と同じ周波数及び位相を有する。ｐｗｂ信号は、ＲＦ増幅器から直接検出されたウォッブルより欠陥及びジッタが改善されている安定した信号であるため、ウォッブル信号よりｐｗｂ信号を利用して位相基準信号との位相差などを検出する。
【００２４】
位相差検出部２１０は、所定方式を適用して位相基準信号とウォッブル信号との位相差を検出する。ＤＶＤ−Ｒ、ＤＶＤ−ＲＷの場合、ＬＰＰ信号が位相基準信号として使われうる。位相差検出部２１０はウォッブルクロック単位として位相差を検出することが望ましい。検出された位相差信号は図１のマイコン１０７に入力されるか、位相差補正部２２０に直接入力されることもある。位相差信号がマイコン１０７に入力される場合、マイコン１０７はその位相差信号を利用して位相差補償値を算出して位相差補正部２２０に提供する。
【００２５】
位相差補正部２２０はｐｗｂ信号で、マイコン１０７や位相差検出部２１０からの入力値に該当する値だけの位相差を補償する。
ＬＰＰシンク検出部２３０は、位相差補正部２２０で位相差が補正されたｐｗｂ信号を利用してＬＰＰシンクを検出する。
ＬＰＰデータ変換部２４０は、ＬＰＰシンク検出部２３０からシンクを検出した直後に入力されるＬＰＰ信号を変換して“１”や“０”に変換する。これは光記録媒体上のＬＰＰへのデータ記録時に“１”と“０”とを各々３ビットの所定信号に変換したものを再び復旧するためのものである。
【００２６】
相対アドレス検出部２５０は、ＬＰＰシンク信号検出以後の所定位置において相対アドレス領域を定め、その領域から検出されたＬＰＰデータを相対アドレスとして検出する。このために、相対アドレスが検出されねばならない領域の信号を検出するウィンドウを出力する第１ウィンドウ生成部２５１を含み、ＬＰＰデータ変換部２４０から出力された信号（４ビットの信号）が第１ウィンドウ生成部２５１で生成されたウィンドウ内で検出される時、その信号を相対アドレス信号として出力する相対アドレス出力部２５２をさらに含む。
【００２７】
ユーザデータ検出部２６０は、所定位置において相対アドレス領域を定め、その領域で検出されたＬＰＰデータをユーザデータとして検出する。このために、ユーザデータが検出されねばならない領域の信号を検出するウィンドウを出力する第２ウィンドウ生成部２６１を含み、ＬＰＰデータ変換部２４０から出力された信号（８ビットの信号）が第２ウィンドウ生成部２６１で生成されたウィンドウ内で検出される時、その信号をユーザデータとして出力するユーザデータ出力部２６２をさらに含む。
【００２８】
相対アドレス連続性検出部２７０は、相対アドレス検出部２５０から出力した相対アドレスがＮと設定された回数だけ正しく連続的に出力されるかどうかを検査する。相対アドレスは１セクター内で００００ｂ，０００１ｂ，．．．，１１１０ｂ，１１１１ｂで１だけ次第に増加したまま検出される。したがって、相対アドレス出力の連続性は、Ｎ回だけ入力された相対アドレス値が各々以前のアドレス値より１だけ大きい値を有する時に発生する。Ｎが大きいほどアドレスアップデートまで長時間がかかり、エラーが多いシステムでは特にその検出が難しい。したがって、Ｎは該当システムの特性を考慮して設定することが望ましい。
【００２９】
相対アドレス補正部２８０は、相対アドレス連続性検出部２７０でＮ回だけ設定されたアドレス連続性が満足された後、相対アドレス検出部２５０を通じて検出された現アドレスが以前のアドレスに対して連続的でない場合、現アドレスの値を［以前のアドレス値＋１］に強制的に補正して出力し、現アドレスが正常な場合にはそのままそのアドレスを出力する。強制補正されたアドレスを擬似相対アドレスという。擬似相対アドレスが出力された場合、相対アドレス補正部２８０は図１のマイコン１０７にアドレスエラーが補正されたことを知らせるインタラプト（ＲＡＰＥＩＮＴ；ｒｅｌａｔｉｖｅ  ａｄｄｒｅｓｓ  ｐｓｅｕｄｏ  ｅｒｒｏｒ  ｉｎｔｅｒｒｕｐｔ）信号を送る。また擬似アドレス値とその直後に入力されたアドレス値とが連続的であるかどうかをチェックして、連続的でない時にマイコンが異常状態を監視するように連続性エラーインタラプト（ＲＡＣＥＩＮＴ；ｒｅｌａｔｉｖｅ  ａｄｄｒｅｓｓ  ｃｏｎｔｉｎｕｉｔｙ  ｅｒｒｏｒ  ｉｎｔｅｒｒｕｐｔ）信号を送る。擬似アドレス値を出力した以後のアドレス値が擬似アドレス値と連続的でない場合には、トラックがスライドして他のトラックに進入した場合などが該当しうる。このような場合、マイコンはトラックの再制御動作が行われるように光記録媒体記録または再生装置の制御を行う。
【００３０】
ＬＰＰデコーディング部２９０は、相対アドレス補正部２８０から出力された相対アドレスとユーザデータ検出部２６０から出力されたユーザデータとを結合してＬＰＰブロックのデータをデコーディングする。
図３の（ａ）〜（ｅ）は、光記録媒体上の連続的な各セクターのＬＰＰデータフレーム構造の例を示したものである。各セクターのＬＰＰデータフレームはシンク領域と相対アドレス領域及びユーザデータ領域とよりなる。
【００３１】
（ａ）セクターには１１１０ｂの相対アドレスが記録されている。
（ｂ）セクターには１１１１ｂの相対アドレスが記録されている。これは（ａ）セクターの相対アドレスに比べて１増加した値であるので、（ｂ）セクターが（ａ）セクターと連続的である時に相対アドレスが正しい場合である。（ｂ）の相対アドレスが１１１１ｂとして検出されることによって（ａ）セクターのアドレスからアドレス連続性が１回検出されたといえる。
【００３２】
（ｃ）セクターには００００ｂの相対アドレスが記録されている。連続的な相対アドレスは００００ｂから１１１１ｂまで順に増加し、１１１１ｂの次には００００ｂの相対アドレスを有するセクターがまた始まるので、（ｃ）セクターが（ｂ）セクターと連続的である時に相対アドレスが正しく記録された場合である。ここまで（ａ）セクターのアドレスからアドレス連続性が２回検出されたといえる。
【００３３】
（ｄ）セクターには００００ｂの相対アドレスが記録されている。これは以前のセクターである（ｃ）の相対アドレス００００ｂから＋１増加した値でないので正しく記録されたアドレス値とはいえない。（ｃ）まで２回のアドレス連続性が検出されたので、図２の回路で相対アドレス検出連続性Ｎが１〜２回に設定された場合、（ｄ）セクターのアドレスは以前のアドレスである００００ｂより＋１増加させた０００１ｂに補正した擬似アドレスとして出力できる。
【００３４】
（ｅ）セクターには００１０ｂの相対アドレスが記録されている。これは以前の擬似アドレス０００１ｂに対して連続的な値であるため、正しいアドレス値として見なされる。もし（ｅ）セクターのアドレス値が（ｄ）セクターで補正した擬似アドレス値から＋１増加した連続値でなければ、図２の相対アドレス補正部２８０はマイコン１０７にＲＡＣＥＩＮＴ信号を出力して、マイコン１０７をしてトラック制御を再試図するように情報を提供できる。
【００３５】
図４の（ａ）〜（ｄ）は、アドレス補正及びマイコン１０７によるインタラプト信号の生成例を示すためのものである。
図４の（ａ）は、光記録媒体上の連続するセクターから実際検出された相対アドレスの例である。ここで斜線をつけた部分は、トラックがスライドした場合のように異常状態が発生した場合に検出された相対アドレスである。
【００３６】
（ｂ）は、（ａ）のように検出された相対アドレスからＮ回連続性が検出された後でエラーが発生したアドレス部分を補正して出力した結果である。
（ｃ）は、（ａ）から検出された実際相対アドレスに異常がある部分を（ｂ）のように擬似アドレスとして補正した場合、擬似アドレスが発生したことをマイコンに知らせる第１インタラプト信号（ＲＡＰＥＩＮＴ）である。
【００３７】
（ｄ）は、（ｂ）の斜線をつけた領域と同じく、異常状態が発生した場合にこれをマイコン１０７に知らせるように発生する第２インタラプト信号（ＲＡＣＥＩＮＴ）である。第２インタラプト信号は、擬似アドレス発生直後に入力された相対アドレスが擬似アドレスと連続的な値でない時に発生する。
（ｃ）や（ｄ）で発生したインタラプト信号を受けたマイコン１０７は、インタラプト信号を受けることによって光記録媒体サーボ制御時に異常状態を反映して制御を行える。
【００３８】
前述したように、光記録媒体上の各セクターを区分する相対アドレスに対してその連続性を利用してエラーを訂正することによってＬＰＰデータデコーディングを正しく行い、より正確な位置を探して記録を行える。
【００３９】
【発明の効果】
本発明によれば、光記録媒体上の相対アドレスに対して検出の連続性を利用してエラー訂正を行うことによってＬＰＰデータデコーディングを正しく行い、正確な位置にデータを記録できる。
【図面の簡単な説明】
【図１】  光記録媒体記録及び再生装置の概略的ブロック図である。
【図２】  本発明の相対アドレス検出及びエラー復旧機能などのＬＰＰデータ処理が行われる光記録媒体記録または再生装置の概略的ブロック図である。
【図３】  （ａ）〜（ｅ）は光記録媒体上の連続的な各セクターのＬＰＰデータフレーム構造の例を示した図面である。
【図４】  （ａ）〜（ｄ）はアドレス補正及びマイコンで発生させるインタラプト信号の生成例を示した図面である。
【符号の説明】
２００…ウォッブルＰＬＬ部
２１０…位相差検出部
２２０…位相差補正部
２３０…ＬＰＰシンク検出部
２４０…ＬＰＰデータ変換部
２５０…相対アドレス検出部
２５１…第１ウィンドウ生成部
２５２…相対アドレス出力部
２６０…ユーザデータ検出部
２６１…第２ウィンドウ生成部
２６２…ユーザデータ出力部
２７０…相対アドレス連続性検出部
２８０…相対アドレス補正部
２９０…ＬＰＰデコーディング部
【図１】
0004146258.tif 000002
【図２】
0004146258.tif 000003
【図３】
0004146258.tif 000004
【図４】
0004146258.tif 000005